(57)【特許請求の範囲】
【請求項１】
作物の茎葉部を圃場から引起こす引起装置（１１）と、引起こされた茎葉部を掻上げる掻上装置（１２）と、掻上げられた茎葉部を挟持して後方に上昇搬送する引抜搬送装置（１３）と、上昇搬送中の作物の保持高さを揃える位置揃え装置（１４）と、位置揃えされた作物の茎葉部を切断する茎葉切断装置（１５）とを備える作物収穫機において、
前記引抜搬送装置（１３）は、前記位置揃え装置（１４）の上方に作物の茎葉部を扱いて引き上げる複数の扱き回転体（２３）を備え、これら扱き回転体（２３）の上半部（２３ａ）と下半部（２３ｂ）を異なる径寸法に形成するとともに、周回駆動可能に対向配置した２つの引抜搬送無端帯（２２）によって構成し、さらに、
前記引抜搬送無端帯（２２）を下方から支持する支持回転体（２３ｃ）を前記扱き回転体（２３）の下部に所定のトルク伝達規制部材を介して軸支したことを特徴とする作物収穫機。
【請求項２】
複数の前記扱き回転体（２３）を、上部が下部より小径になるよう形成した上で、 ２つの前記引抜搬送無端帯（２２）の対向部分に双方向から弾接させて、作物の茎葉部を挟持しながら搬送方向に案内可能としたことを特徴とする請求項１に記載の作物収穫機。
【請求項３】
前記扱き回転体（２３）を回転自在に支持する支持部材（２４）を２つの前記引抜搬送無端帯（２２）の下方位置に近接して設けたことを特徴とする請求項２に記載の作物収穫機。
【請求項４】
複数の前記扱き回転体（２３）を搬送方向に間隔を開けて配置し、前記支持部材（２４）上で前記引抜搬送無端帯（２２）に臨む空間部を形成することを特徴とする請求項３に記載の作物収穫機。
【請求項５】
複数の前記扱き回転体（２３）を左右の前記支持部材（２４）に千鳥状に配置するとともに、左右の前記支持部材（２４）の前後に位置調節機構（２４ｃ）を設けて前記引抜搬送無端帯（２２）に対する付勢位置をそれぞれ調節可能に支持したことを特徴とする請求項３または４に記載の作物収穫機。
【請求項６】
前記掻上装置（１２）は、左右の周回ラグ機構（１２ａ）のそれぞれに、複数の掻上ラグ（３１ａ）を備える掻上無端帯（３１）を周回動作可能に備えるとともに、左右一側の前記掻上ラグ（３１ａ）の先端（３１ｂ）を他側より細幅に形成し、かつ、一方の掻上線を側方に傾斜して掻上げ上端側の周回域を前記引抜搬送装置（１３）の搬送始端位置で重ねて配置したことを特徴とする請求項１から５のいずれか１項に記載の作物収穫機。
【請求項７】
前記掻上装置（１２）は、左右の前記掻上無端帯（３１）をそれぞれ支持するよう周回両端に設けられた掻上回転体（３２）と、前記掻上無端帯（３１）の張力を調節する張力調節機構とを備え、
前記張力調節機構は、前端側に設けられた前記掻上回転体（３２）をそれぞれ前後に進退可能に構成し、かつ、
前端側に設けられた前記掻上回転体（３２）の一方を設定位置に固定可能とする固定張り支持機構（３２ａ）を設けるとともに、
他方の前記掻上回転体（３２）を前方へ付勢しながら支持する自動張り支持機構（３２ｂ）を設けて構成されたことを特徴とする請求項６に記載の作物収穫機。
【発明の詳細な説明】
【技術分野】
【０００１】
本発明は、引抜搬送部によって圃場から引き抜いた玉葱等の根菜作物の茎葉を切断する茎葉切断装置を備える根菜類収穫機に関するものである。
【背景技術】
【０００２】
先行特許文献１及び２には、玉葱の茎葉部を圃場から引起こす引起こし装置と、引起こされた茎葉部を掻上げる掻上装置と、掻上げられた茎葉部を挟持して圃場から玉葱を引き抜く引抜搬送装置と、引抜搬送中の玉葱の茎葉部のうち、収穫時に不要な部分を切断する茎葉切断装置と、茎葉切断装置が切断する茎葉部の高さを揃えるべく玉葱の上昇を規制しながら搬送する位置揃え装置を備えた歩行型の玉葱収穫機が開示されている。
【先行技術文献】
【特許文献】
【０００３】
【特許文献１】特開平９−１９１７３８号公報
【特許文献２】特開２０００−６９８２８号公報
【発明の概要】
【発明が解決しようとする課題】
【０００４】
上記引抜搬送装置は、後上がり傾斜姿勢であり、位置揃え装置が圃場面と略平行姿勢であることにより、玉葱が位置揃え装置の下面に接触するまで茎葉部が引き上げられるが、このときに茎葉部の挟持力が弱いと玉葱が十分に引き上げられず、茎葉部の切断位置がバラつき、収穫後に作業者が余分な長さを切り揃える必要が生じる。
【０００５】
一方、挟持力が強過ぎると、茎葉部の太さや数が多いときに詰まりやすくなり、詰まりにより収穫作業が中断されたり、負荷により引抜搬送装置が停止する問題がある。
さらに、茎葉部を引き上げる反力により、搬送ベルトが下方に引っ張られ、搬送ベルトが脱落して作業が中断される問題がある。
これらの問題を防止すべく、先行特許文献１では、引抜搬送装置の搬送ベルトを内側から押圧するテンションローラを設け、引抜搬送装置の挟持力が不足しないようにしつつ、挟持力が強くなり過ぎることを防止している。
【０００６】
しかしながら、テンションローラは搬送ベルトに常時接触しているので、茎葉が太い、または量が多いと詰まりが生じやすく、作業の中断や引抜搬送装置の破損の問題は依然として生じ得る。
また、挟持力を強くし過ぎないために、搬送ベルトを僅かに弛ませているので、茎葉部を扱き上げる反力で搬送ベルトが脱落しやすい。
【０００７】
先行特許文献２においては、テンションローラを設けず、搬送ベルトを張り詰めることにより、扱き上げる反力で搬送ベルトが脱落することや、茎葉部が扱き上げられず、茎葉部の切断位置が乱れることを防止している。
しかしながら、搬送ベルトを張り詰めていることにより、搬送ベルトが回転すると搬送ベルト同士の摩擦力がかかりやすく、また、非使用時にも常時搬送ベルトに負荷がかかり続けるので、搬送ベルトの耐久性が低下しやすくなる問題がある。
また、茎葉部が太い、または茎葉部の量が多いといっそう詰まりやすくなっているので、詰まりによる作業の中断が頻繁に発生し、作業能率が低下する問題がある。
【０００８】
本発明は、茎葉切断の適正化によって引抜き作物の効率的な収穫を可能とする作物収穫機を提供することにある。
【課題を解決するための手段】
【０００９】
請求項１に係る発明は、作物の茎葉部を圃場から引起こす引起装置（１１）と、引起こされた茎葉部を掻上げる掻上装置（１２）と、掻上げられた茎葉部を挟持して後方に上昇搬送する引抜搬送装置（１３）と、上昇搬送中の作物の保持高さを揃える位置揃え装置（１４）と、位置揃えされた作物の茎葉部を切断する茎葉切断装置（１５）とを備える作物収穫機において、前記引抜搬送装置（１３）は、前記位置揃え装置（１４）の上方に作物の茎葉部を扱いて引き上げる複数の扱き回転体（２３）を備え、これら扱き回転体（２３）の上半部（２３ａ）と下半部（２３ｂ）を異なる径寸法に形成するとともに、周回駆動可能に対向配置した２つの引抜搬送無端帯（２２）によって構成し、さらに、前記引抜搬送無端帯（２２）を下方から支持する支持回転体（２３ｃ）を前記扱き回転体（２３）の下部に所定のトルク伝達規制部材を介して軸支したことを特徴とする。
【００１０】
請求項２に係る発明は、請求項１に係る発明において、前記引抜搬送装置（１３）は、複数の前記扱き回転体（２３）を、上部が下部より小径になるよう形成した上で、２つの前記引抜搬送無端帯（２２）の対向部分に双方向から弾接させて、作物の茎葉部を挟持しながら搬送方向に案内可能としたことを特徴とする。
【００１１】
請求項３に係る発明は、請求項２に係る発明において、前記扱き回転体（２３）を回転自在に支持する支持部材（２４）を２つの前記引抜搬送無端帯（２２）の下方位置に近接して設けたことを特徴とする。
【００１２】
請求項４に係る発明は、請求項３に係る発明において、複数の前記扱き回転体（２３）を搬送方向に間隔を開けて配置し、前記支持部材（２４）上で前記引抜搬送無端帯（２２）に臨む空間部を形成することを特徴とする。
【００１４】
請求項５に係る発明は、請求項３または４に係る発明において、複数の前記扱き回転体（２３）を左右の前記支持部材（２４）に千鳥状に配置するとともに、左右の前記支持部材（２４）の前後に位置調節機構（２４ｃ）を設けて前記引抜搬送無端帯（２２）に対する付勢位置をそれぞれ調節可能に支持したことを特徴とする。
【００１５】
請求項６に係る発明は、請求項１から５の何れか１項に係る発明において、前記掻上装置（１２）は、左右の周回ラグ機構（１２ａ）のそれぞれに、複数の掻上ラグ（３１ａ）を備える掻上無端帯（３１）を周回動作可能に備えるとともに、左右一側の前記掻上ラグ（３１ａ）の先端（３１ｂ）を他側より細幅に形成し、かつ、一方の掻上線を側方に傾斜して掻上げ上端側の周回域を前記引抜搬送装置（１３）の搬送始端位置で重ねて配置したことを特徴とする。
【００１６】
請求項７に係る発明は、請求項６に係る発明において、前記掻上装置（１２）は、左右の前記掻上無端帯（３１）をそれぞれ支持するよう周回両端に設けられた掻上回転体（３２）と、前記掻上無端帯（３１）の張力を調節する張力調節機構とを備え、前記張力調節機構は、前端側に設けられた前記掻上回転体（３２）をそれぞれ前後に進退可能に構成し、かつ、前端側に設けられた前記掻上回転体（３２）の一方を設定位置に固定可能とする固定張り支持機構（３２ａ）を設けるとともに、他方の前記掻上回転体（３２）を前方へ付勢しながら支持する自動張り支持機構（３２ｂ）を設けて構成されたことを特徴とする。
【発明の効果】
【００１７】
請求項１に係る発明により、扱き回転体（２３）を位置揃え装置（１４）の上方に設けたことにより、茎葉部を扱いて引き上げ、作物を確実に位置揃え装置（１４）に接触させることができるので、茎葉部の切断位置が安定し、不要な茎葉部の除去作業が不要となるので、作業者の労力が軽減される。
また、扱き回転体（２３）を、上部側と下部側とで異なる径寸法としたことにより、茎葉部の引き上げ作用を低下させることなく、茎葉部の詰まりを防止することができるので、茎葉部の詰まりを解除する作業に余分な時間を費やすことが無く、作業能率が向上する。
また、支持回転体（２３ｃ）が引抜搬送無端帯（２２）を下方から受けることにより、下方に脱落しようとする引抜搬送無端帯（２２）をより確実に押し上げることができるので、作物の収穫作業が中断されることが防止され、作業能率が向上すると共に、脱落による引抜搬送無端帯（２２）を装着し直す作業が不要となるので、作業者の労力の軽減が図られる。
また、高い負荷が掛った場合はトルク伝達規制部材により支持回転体（２３ｃ）が独立して回転することにより、引抜搬送無端帯（２２）が支持回転体（２３ｃ）を乗り越えて脱落することを防止できると共に、支持回転体（２３ｃ）が引抜搬送装置（１３）の駆動抵抗になることが防止される。
【００１８】
請求項２に係る発明により、請求項１に係る発明の効果に加え、扱き回転体（２３）の下部側の径を上部側よりも大径としたことにより、位置揃え装置（１４）に近い側の挟持力を強めることができるので、茎葉部を逃がすことなく扱き上げることができ、茎葉切断装置（１５）による茎葉部の切断位置が安定する。
また、扱き回転体（２３）の上部側が引抜搬送無端帯（２２）に常時接触しない小径構成となることにより、太い、または量の多い茎葉部は引抜搬送無端帯（２２）が扱き回転体（２３）の上部側に接触するまで移動することができるので、茎葉部が詰まって作業が中断されることが防止され、作業能率が向上する。
【００１９】
請求項３に係る発明により、請求項２に係る発明の効果に加え、引抜搬送無端帯（２２）の直下位置に扱き回転体（２３）の支持部材（２４）を設けたことから、引抜搬送無端帯（２２）は、茎葉部の引上げ抵抗力が過大に作用した場合に、下方位置の支持部材（２４）によって押し上げられ、引抜搬送無端帯（２２）が脱落することを防止できるので、作物の収穫作業が中断されることが防止され、作業能率が向上する。合わせて、脱落した引抜搬送無端帯（２２）を装着し直す作業が不要となり、作業者の労力の軽減が図られる。また、引抜搬送無端帯（２２）の脱落を防止すべく、引抜搬送無端帯（２２）に高い張力をかけて張り詰めさせる必要がなく、高い張力がかかり続けることによる引抜搬送無端帯（２２）の劣化が防止されるので、耐久性が向上する。
【００２０】
請求項４に係る発明により、請求項３に係る発明の効果に加え、複数の扱き回転体（２３）を搬送方向に間隔を開けて配置すると共に、支持部材（２４）に引抜搬送無端帯（２２）に臨む空間部を形成したことにより、挟持している茎葉部が引抜搬送無端帯（２２）を押し広げても、空間部に向かって引抜搬送無端帯（２２）が撓むことができるので、挟持された茎葉部が間に詰まって引抜搬送装置（１３）が停止し、作業が中断されることが防止されるとともに、茎葉部の詰まりに伴う引抜搬送装置（１３）の破損が防止される。
【００２２】
請求項５に係る発明により、請求項３または４に係る発明の効果に加え、位置調節機構（２４ｃ）を前後で異なる左右位置に設定可能としたことにより、収穫する作物の茎葉部の太さや量に合わせて扱き作用を調節し、すなわち、茎葉部の挟持量が多いときは、前側の左右間隔を後側よりも広くして入り込みを妨げることなく、後側で確実に扱き上げ、逆に、茎葉部の挟持量が少ないときは、前後の間隔を同じにして前後方向に亘って扱き上げることができるので、茎葉部の詰まりを防止しつつ、位置揃え中の茎葉部を確実に扱き上げて切断位置を揃えることができる。
【００２３】
請求項６に係る発明により、請求項１から５の何れか１項に係る発明の効果に加え、掻上装置（１２）の左右の周回ラグ機構（１２ａ）の一方の掻上線を側方に傾斜して掻上げ上端側の周回域を前記引抜搬送装置（１３）の搬送始端位置で重ねて配置したことにより、左右の掻上ラグ（３１ａ）が重複して茎葉部を引抜搬送装置（１３）に引き継ぐことができるので、一方の掻上ラグ（３１ａ）から茎葉部が落下することがあっても、他方の掻上ラグ（３１ａ）が茎葉部を拾うことができ、茎葉部が挟持されずに作物が抜き残され、作業者が手作業で回収する作業が防止される。
また、左右一側の掻上ラグ（３１ａ）の先端（３１ｂ）を他側より細幅に形成したことにより、茎葉部を掻上げる際に過大な重量がかかると掻上ラグ（３１ａ）の先端が変形することから、作物を土中から引き上げてしまうことが防止され、作物の抜き残しが防止される。
【００２４】
請求項７に係る発明により、請求項６に係る発明の効果に加え、左右の周回ラグ機構（１２ａ）に張力調節機構を設けたことにより、茎葉部の長さや量に合わせて掻上ラグ（３１ａ）の周回軌跡を変更することができるので、茎葉部の掻上げ損ないによる作物の取り残しや、圃場面との接触による掻上ラグ（３１ａ）の破損を防止することができる。
また、左右の張力調節機構の一側に自動張り支持機構（３２ｂ）を設けることにより、掻上ラグ（３１ａ）が圃場面と接触するなどして過負荷がかかった際に、張力を変更して負荷を逃がすことができるので、掻上装置（１２）の破損や、適切な茎葉部の掻上げ高さの調節が可能となる。
【図面の簡単な説明】
【００２５】
【図１】作物収穫機の側面図
【図２】作物収穫機の平面図
【図３】平面展開付記した引抜搬送装置周りの側面図
【図４】引抜搬送装置の要部拡大平面図(a)および扱ローラの拡大側面図(b)
【図５】平面図を展開付記した引抜搬送装置周りの側面図
【図６】平面図を展開付記した掻上装置周りの側面図
【図７】平面図を展開付記した別構成の掻上装置周りの側面図
【図８】平面図と正面図を展開付記した引抜搬送装置周りの側面図
【図９】排葉部の要部斜視図
【図１０】開閉スリット例による排葉部の要部斜視図
【図１１】ワンタッチ結合スリット例による排葉部の要部斜視図
【発明を実施するための形態】
【００２６】
上記技術思想に基づいて具体的に構成された実施の形態について以下に図面を参照しつつ説明する。なお、以下の説明においては、根菜類収穫機の前進方向Ｆを基準として前後、左右という。
【００２７】
本発明にかかる実施形態のタマネギ等の根菜類収穫用の作物収穫機１は、その側面図および平面図を図１、図２に示すように、駆動輪２，２と機体前部の作業高さを規定するゲージ輪３とによる走行部によって機体を圃場走行可能に構成し、引抜作業機器群を中心に、原動部および操縦部を備えて構成される。
【００２８】
引抜作業機器は、機体前部で作物の茎葉部を圃場から引起こす引起装置１１と、引起こされた茎葉部を掻上げる掻上装置１２と、掻上げられた茎葉部を挟持して後方に上昇搬送する引抜搬送装置１３と、上昇搬送中の作物の保持高さを揃える位置揃え装置１４と、位置揃えされた作物の茎葉部を切断する茎葉切断装置１５とを備えて圃場作物を引き抜いた上で茎葉部を除去可能に構成し、機体後部に原動伝動部１６と、歩行操縦部１７等を備える。
【００２９】
（引抜搬送装置）
詳細には、引抜搬送装置１３は、平面図を展開付記した引抜搬送装置周りの側面図を図３に示すように、後上がりに左右対向配置した引抜搬送用の周回ベルト機構１３ａ，１３ａによって作物の茎葉部を挟持引上げ可能に構成し、また、その下側から後方に分岐するように、位置揃え装置１４を左右対向配置した位置揃え用の周回ベルト機構１４ａ，１４ａによって作物の根部の肩位置を揃えて後送可能に構成する。
【００３０】
引抜搬送用の左右の周回ベルト機構１３ａ，１３ａは、それぞれ、引抜搬送フレーム２１ａの両端に軸支した溝付きのプーリ２１，２１と、両プーリ２１，２１間に嵌合巻回した突条付きの引抜搬送無端帯である挟持ベルト２２と、これら左右の挟持ベルト２２，２２の挟持部分を個別にガイドする溝付きの扱き調節回転体である複数の扱きローラ２３，２３と、これら扱きローラ２３，２３を軸支する支持部材である左右の支持プレート２４，２４とによって構成する。
【００３１】
挟持ベルト２２は、プーリ２１，２１およびローラ２３，２３の溝と嵌合する突条によって脱落が抑えられ、また、複数の扱きローラ２３，２３間の空間によって、ベルト間の挟持量を確保することができる。
【００３２】
また、引抜搬送装置１３の要部拡大平面図を図４(a)に示すように、左右それぞれの周回ベルト機構１３ａ，１３ａについて、付勢部材であるスプリング２４ｂ，２４ｂと位置調節機構である押しボルト２４ｃ，２４ｃにより、引抜搬送フレーム２１ａに対して支持プレート２４の前後を個々に可動支持する。
【００３３】
支持プレート２４には、扱きローラ２３，２３のスクレーパ２４ｄ，２４ｄを設けてスプリング２４ｂ，２４ｂの当て部材とし、また、左右の挟持ベルト２２，２２の外側方から位置調節機構である押しボルト２４ｃ，２４ｃを調節可能に引抜搬送フレーム２１ａに螺合支持することにより、支持プレート２４を挟持ベルト２２の対向部に対して進退可能に構成する。
【００３４】
各扱ローラ２３は、拡大側面図を図４(b)に示すように、上半部２３ａと下半部２３ｂとを別径に形成することにより、大径側で挟持力を確保するとともに、小径側でベルト間の挟持量を確保することができ、特に、下半部２３ｂを大径に形成して下方の位置揃え装置１４に近接して挟持することによって位置揃え精度を確保することができ、また、上下に長くして案内幅を広くすることによって挟持ベルト２２の脱落を抑えることができる。
【００３５】
各扱ローラ２３の下端部には、トルク伝達規制部材であるトルクリミッタを介して挟持ベルト２２の下方に及ぶ支持回転体である大径部２３ｃを軸支することにより、挟持ベルト２２の脱落を抑えつつ、高負荷時の挟持ベルト２２の乗越えによる脱落を防止する。また、支持プレート２４は、挟持ベルト２２の下方に及んで形成することにより、挟持ベルト２２の脱落を防止することができる。
【００３６】
上記構成の引抜搬送装置１３は、扱き調節回転体２３，２３を位置揃え装置１４の上方に設けたことにより、作物の茎葉部を引き上げて作物を確実に位置揃え装置に接触させることができるので、茎葉部の切断位置が安定し、不要な茎葉部の除去作業が不要となる。したがって、作業者の労力が軽減され、また、扱き調節回転体２３，２３を、上部側と下部側とで異なる径寸法としたことにより、茎葉部の引き上げ作用を低下させることなく、茎葉部の詰まりを防止することができるので、茎葉部の詰まりを解除する作業に余分な時間を費やすことが無く、作業能率が向上する。
【００３７】
また、扱き調節回転体２３，２３の下部側の径を上部側よりも大径としたことにより、位置揃え装置１４に近い側の挟持力を強めることができるので、茎葉部を逃がすことなく扱き上げることができ、茎葉切断装置１５による茎葉部の切断位置が安定する。
【００３８】
また、扱き調節回転体２３，２３の上部側が引抜搬送無端帯２２に常時接触しない小径構成となることにより、太い、または量の多い茎葉部は引抜搬送無端帯２２が扱き調節回転体２３，２３の上部側に接触するまで移動することができるので、茎葉部が詰まって作業が中断されることが防止され、作業能率が向上する。
【００３９】
また、引抜搬送無端帯２２，２２のそれぞれの直下位置に扱き調節回転体２３，２３の支持部材２４を設けたことから、引抜搬送無端帯２２，２２は、茎葉部の引上げ抵抗力が過大に作用した場合に、直下位置の支持部材２４によって押し上げられ、引抜搬送無端帯２２，２２が脱落することを防止できる。したがって、作物の収穫作業が中断されることが防止され、作業能率が向上する。合わせて、脱落した引抜搬送無端帯２２，２２を装着し直す作業が不要となり、作業者の労力の軽減が図られる。また、引抜搬送無端帯２２，２２の脱落を防止すべく、引抜搬送無端帯に高い張力をかけて張り詰めさせる必要がなく、高い張力がかかり続けることによる引抜搬送無端帯２２，２２の劣化が防止され、耐久性が向上する。
【００４０】
複数の扱き調節回転体２３，２３は、搬送方向に間隔を開けて配置すると共に、支持部材２４に引抜搬送無端帯２２に臨む空間部を形成したことにより、挟持している茎葉部が引抜搬送無端帯２２を押し広げても、空間部に向かって引抜搬送無端帯２２が撓むことができるので、教示された茎葉部が間に詰まって引抜搬送装置１３が停止し、作業が中断されることが防止されるとともに、茎葉部の詰まりに伴う引抜搬送装置１３の破損が防止される。
【００４１】
支持回転体２３ｃは、引抜搬送無端帯２２を下方から受けることにより、下方に脱落しようとする引抜搬送無端帯２２をより確実に押し上げることができるので、作物の収穫作業が中断されることが防止され、作業能率が向上すると共に、脱落による引抜搬送無端帯２２を装着し直す作業が不要となるので、作業者の労力の軽減が図られる。
【００４２】
また、高い負荷が掛った場合は、トルク伝達規制部材により支持回転体２３ｃが独立して回転することにより、引抜搬送無端帯２２が支持回転体２３ｃを乗り越えて脱落することを防止できると共に、支持回転体２３ｃが引抜搬送装置１３の駆動抵抗になることが防止される。
【００４３】
位置調節機構２４ｃ，２４ｃは、前後で異なる左右位置に設定可能としたことにより、収穫する作物の茎葉部の太さや量に合わせて扱き作用を調節し、すなわち、茎葉部の挟持量が多いときは、前側の左右間隔を後側よりも広くして入り込みを妨げることなく、後側で確実に扱き上げ、逆に、茎葉部の挟持量が少ないときは、前後の間隔を同じにして前後方向に亘って扱き上げることができるので、茎葉部の詰まりを防止しつつ、位置揃え中の茎葉部を確実に扱き上げて切断位置を揃えることができる。
【００４４】
（掻上装置）
次に、掻上装置について説明する。
掻上装置１２は、平面図を展開付記した掻上装置周りの側面図を図５に示すように、後傾姿勢の左右の周回ラグ機構１２ａ，１２ａによって構成される。左右の周回ラグ機構１２ａ，１２ａは、それぞれ複数の掻上ラグ３１ａ…を備える掻上無端帯３１を周回端の掻上回転体である前端と後端の掻上プーリ３２，３２によって周回動作可能に設ける。
【００４５】
左右の周回ラグ機構１２ａ，１２ａについて、一側の掻上ラグ３１ａ…の先端３１ｂを他側の掻上ラグ３１ａ…の先端３１ｂより細幅に形成するとともに、溝側の周回ラグ機構１２ａの掻上線を側方に傾斜して掻上げ先端を広くし、掻上げ上端側が次第に重なるように左右の周回線を交差して引抜搬送装置１３の始端位置に配置する。
【００４６】
上記構成の掻上装置１２は、左右の周回ラグ機構１２ａ，１２ａの一方を側方に傾斜して掻上げ上端を重ねて引抜搬送装置１３の始端に配置したことにより、左右の掻上ラグが重複して茎葉部を引抜搬送装置１３に引き継ぐことができるので、一方の掻上ラグから茎葉部が落下することがあっても、他方の掻上ラグが茎葉部を拾うことができ、茎葉部が挟持されずに作物が抜き残され、作業者が手作業で回収する作業が防止される。
【００４７】
また、左右一側の掻上ラグ３１ａ…の先端３１ｂ…を他側より細幅に形成したことにより、茎葉部を掻上げる際に過大な重量がかかると掻上ラグの先端が変形することから、作物を土中から引き上げてしまうことが防止され、作物の抜き残しが防止される。
【００４８】
左右の周回ラグ機構１２ａ，１２ａの掻上げ先端を開くことによって掻上時の作物の引抜きを防ぎ、複数の掻上ラグ３１ａ…の間隔を粗くすることにより、掻上時の作物の引抜きを防ぎ、また、掻上ラグ３１ａ…を長くして下端の掻上プーリ３２，３２を高く保持することにより、掻上げ間口を広く構成する。
【００４９】
左右の掻上無端帯３１，３１は、平面図を展開付記した掻上装置周りの側面図を図６に示すように、下端の掻上プーリ３２，３２をスライド可能に支持し、調節ねじにより設定位置に固定可能な固定張り支持機構３２ａと設定バネ力支持による自動張り支持機構３２ｂとを選択可能に構成する。特に、溝側の掻上プーリ３２を固定張り機構３２ａ、畦側の掻上プーリ３２を自動張り機構３２ｂとすることにより、畦側の盛り上がりの大負荷に対応することができる。また、過負荷緩和のために、下部の掻上プーリ３２を自動張りとする。そのほか、掻上無端帯３１，３１をタイミングベルトで構成することにより、左右の周回ラグ機構１２ａ，１２ａを千鳥位相に構成することができる。
【００５０】
掻上装置１２の取付けは、左右の周回ラグ機構１２ａ，１２ａそれぞれの上部を引抜搬送装置１３に設けた左右の支点３５，３５に軸支して、それぞれの下端を上方に跳上式に構成することにより、メンテナンスの際に、掻上装置１２の下部を容易に清掃することができるほか、左右それぞれ段階的に又は連続的に跳ね上げ角度を変更固定可能に構成することにより、掻上角度を変えて作物の引抜きが可能となる。
【００５１】
掻上装置１２は、左右の掻上無端帯３１，３１を割プーリ伝動とすることにより、掻上げ速度を可変速に構成する。上部の掻上プーリ３２をアジャスト式、下部の掻上プーリ３２をスプリングアイドル式の割プーリで構成することにより、アジャスタによる回転支持径の設定に応じて下部の掻上プーリ３２の回転支持径が調節されて掻上げ速度を変更することができる。
【００５２】
上記構成の掻上装置１２は、掻上無端帯３１，３１をそれぞれ周回支持する下端と上端の回転体３２，３２の一方に前記掻上無端帯３１の張力を設定する張力調節機構をそれぞれ設け、前記左右の張力調節機構の一方を掻上負荷に応じて張力を変更する自動張力調節機構によって構成し、かつ、前記両端の回転体３２，３２に割プーリによる周回径可変機構３３，３３を設け、一端側の回転体３２に周回径設定操作のための径調節機構であるアジャスタ３３ａを設けるとともに、前記掻上無端帯３１の周回により前記一端側の回転体３２の径調節に応じて周回径を弾発変更する追従調節機構３３ｂを他端側の回転体３２に設ける。アジャスタ３３ａはカバー内に収納する。
【００５３】
上記構成の掻上装置１２は、左右の周回ラグ機構１２ａ，１２ａに張力調節機構を設けることにより、茎葉部の長さや量に合わせて掻上ラグ３１ａ…の周回軌跡を変更することができるので、茎葉部の掻上げ損ないによる作物の取り残しや、圃場面との接触による掻上ラグの破損を防止することができる。
また、自動張力調節機構を設けることにより、掻上ラグ３１ａ…が圃場面と接触するなどして過負荷がかかった際に、張力を変更して負荷を逃がすことができるので、掻上装置１２の破損や、適切な茎葉部の掻上げ高さの調節が可能となる。
【００５４】
また、掻上無端帯３１を支持する周回両端の回転体３２，３２の径を割プーリによる径調節機構３３，３３によって調節自在とし、前記径調節機構３３，３３による一方の調節機構３３ａの操作による回転体の径変更に応じて他方の径が追従調節機構３３ｂによって弾発調節されることから、作業速度や茎葉部に合わせて掻上装置１２の作動速度を変更することができるので、茎葉部が確実に掻上げられて引抜搬送装置１３に案内され、作物の取り残しの発生が防止される。
【００５５】
また、掻上ラグ３１ａ…が茎葉部に頻繁に接触して茎葉部を切断したり、茎葉部ごと作物を引き上げてしまうことを防止できるので、作物が圃場から引き抜けなくなることが防止される。
【００５６】
次に、掻上装置の別構成例について説明すると、平面図を展開付記した掻上装置周りの側面図を図７に示すように、左右の周回ラグ機構１２ｂ，１２ｂの下部の掻上プーリ３２，３２をスライド可能に設け、上部の掻上プーリ３２，３２の近傍位置で外側方に張出し調節可能にテンションプーリ３４，３４を設けることにより、掻上げ下端位置を調節可能に構成する。
【００５７】
また、引抜搬送装置１３の引抜搬送フレーム２１ａ，２１ａは、平面図と正面図を展開付記した引抜搬送装置周りの側面図を図８に示すように、位置揃え装置１４のタッピングベルト始点位置にテーパ部２１ｂ，２１ｂを形成して茎葉部の引掛りを防ぐ。また、引抜搬送フレーム２１ａ，２１ａの挟持ベルト２２，２２の対向部に傾斜面２１ｃ，２１ｃを設けて茎葉部の扱き時の引掛りを抑える。
【００５８】
（排葉シュータ）
次に、排葉部について説明すると、その要部斜視図を図９に示すように、排葉シュータ４１を、引抜搬送装置１３の搬送終端部から排出される茎葉部を機体左右一方の挟持ベルト２２と共に挟持して機体左右一方に排出させるパッカ４２の下部から、チェーンケース２ａの上部まで連続して形成する。排葉シュータ４１の機体外側端側は、チェーンケース２ａ上面と一部固定で、駆動輪２内側にパッカ４２から直接排出し、チェーンケース２ａの前方に最終排出する構成とする。
【００５９】
排葉シュータ４１は、塩化ビニル等の軟質材で構成し、この軟質な排葉シュータ４１によって、タッピング部に排葉が戻ってきて再度進入することを防止するためのガードの役割を果たす。これにより、茎葉部が再度タッピング部に入り込み、作物の引き抜きを妨げることが防止され、作業能率の向上や、抜き残される作物の発生が防止されると共に、作業後に茎葉部を機体から除去する作業に要する時間と労力が軽減される。
【００６０】
また、排葉シュータ４１があることにより、カッター部１５に作業者や作業場所の周辺に存在するものが直接接近することを防止できるので、排葉シュータ４１はガード体としての役割も果たす。これにより、作業時の安全性が向上すると共に、駆動輪２が跳ね上げた石等がカッター部１５に接触し、カッター部１５を破損させることが防止される。
【００６１】
さらに、図１０で示すとおり、排葉シュータ４１は駆動輪２の内面まで設け、排葉シュータ４１の終端にスリット４４を設けることにより、チェーンケース２ａ内側落下が可能となる。これにより、茎葉部が排葉シュータ４１上に溜まることが防止され、作業者が手作業で除去する作業が不要となり、作業能率の向上が図られる。さらに、茎葉部が駆動輪２よりも内側の畝溝に排出されるので、駆動輪２に踏み付けられた茎葉部が絡み付き、駆動輪２の回転が妨げられて走行性が低下することが防止されると共に、巻き付いた茎葉部を除去する作業が不要となる。
【００６２】
上記スリット４４は、ジッパ４４ａを設けることによって、簡単に開閉が可能となるので、作業能率の向上が図られる。あるいは、図１１で示すとおり、チェーンケース２ａとシュータ４１との間は、ラッチ、タイバンド、マグネット等のワンタッチ結合部材４５によって結合可能に構成してもよい。
【符号の説明】
【００６３】
１１    引起装置
１２    掻上装置
１２ａ  周回ラグ機構
１３    引抜搬送装置
１４    位置揃え装置
１５    茎葉切断装置
２２    引抜搬送無端帯（挟持ベルト）
２３    扱き調節回転体（扱きローラ）
２３ａ  上半部
２３ｂ  下半部
２３ｃ  支持回転体（大径部）
２４    支持部材（支持プレート）
２４ｃ  位置調節機構（押しボルト）
３１    掻上無端帯
３１ａ  掻上ラグ
３１ｂ  先端
３２    掻上回転体（掻上プーリ）
３２ａ  固定張り支持機構
３２ｂ  自動張り支持機構
３３    周回径可変機構（割プーリ）
３３ａ  径調節機構
３３ｂ  追従調節機構
【図１】
0006447952.tif 000002
【図２】
0006447952.tif 000003
【図３】
0006447952.tif 000004
【図４】
0006447952.tif 000005
【図５】
0006447952.tif 000006
【図６】
0006447952.tif 000007
【図７】
0006447952.tif 000008
【図８】
0006447952.tif 000009
【図９】
0006447952.tif 000010
【図１０】
0006447952.tif 000011
【図１１】
0006447952.tif 000012